(57)【要約】      （修正有）【課題】ランヤード付きの墜落制止用器具を装着したまま一人で容易に着脱可能であること、使用者の肩や腕の動かしやすさを維持し作業中の安全性が向上すること、及び、ショックアブソーバの水濡れを防止できることをすべて同時に実現できる作業衣服を提供する。【解決手段】作業衣服１は、上着２とサロペット３のズボンとから構成されている。作業衣服１の上着２は、背面４の中央部縦方向に沿ってマチ５を有する。背面４を構成する後見頃を中央縦方向で左右の後見頃を４Ａ、４Ｂに２分割し、マチ布５１を介在させマチ５が形成されている。マチ５は襟元６から裾７に向かって裾広がりに設けられている。【選択図】図３
0003235283.tif 000002
【実用新案登録請求の範囲】
【請求項１】
ランヤード付きの墜落制止用器具を装着したまま、着脱可能な作業衣服であって、背面の中央部縦方向に沿ってマチを有する上着を備えることを特徴とする作業衣服。
【請求項２】
マチは襟元から裾に向かって裾広がりに設けられていることを特徴とする請求項１に記載の作業衣服。
【請求項３】
上着の裾は、墜落制止用器具の上から着た場合に、墜落制止用器具のショックアブソーバの下端より下となっていることを特徴とする請求項１又は２に記載の作業衣服。
【請求項４】
上着は、作業衣服のサロペットと共に用いられ、サロペットの股上が深く、上着の着丈が短く構成されていることを特徴とする請求項１から３のいずれかに記載の作業衣服。
【請求項５】
サロペットは、股上、胸当て、サスペンダーが、サロペットより先に装着した墜落制止用器具の胸側にある休止フックハンガーと重ならないように構成されてことを特徴とする請求項４に記載の作業衣服。
【考案の詳細な説明】
【技術分野】
【０００１】
本考案は、ランヤード付きの墜落制止用器具（フルハーネス安全帯）を装着したまま容易に着脱可能なカッパ等の作業衣服に関する。
【背景技術】
【０００２】
高所等の作業現場での作業において、ランヤード付きの墜落防止用器具の装着が義務付けられている。
【０００３】
そして、雨天での作業においては、この墜落防止用器具を装着した上に、カッパ等の作業衣服を着ることになる。
【０００４】
そこで従来、当該墜落防止用器具のランヤードを通すための開口部が背中部分に設けられた作業衣服が使用されている。
【０００５】
例えば、特開２０１９−９９９６３号公報では、背中側布地の中央部縦方向に沿って設けられたスリットと、前記スリットを開閉するためのファスナーと、を具備してなり、前記ファスナーが、第一スライダー及び第二スライダーを具備する頭合わせ式としたことが開示されている。
【０００６】
また、特許第６６２８２３７号公報では、背面の襟元から垂直方向にファスナー部を備え、前記ファスナー部は、スライダーを上位から下位に（首から背中に）降ろすことにより、開いた状態から閉じた状態にでき、閉じた状態からスライダーを下位から上位に上げることにより閉じた状態から開いた状態にできることが開示されている。
【０００７】
さらに、実用新案登録３２２３０５９号公報では、後身頃の中央縦方向に長さ方向を有するように設けられた長方形状の開口部と、互いに噛み合い又は離合する務歯列が設けられ、前記開口部の長辺を成す対向する直線状縁部に対して夫々が縫合された一対の布テープと、前記務歯列の中央に向かって上から噛み合わせる上スライダーと、前記務歯列の中央に向かって下から噛み合わせる下スライダーとを有するファスナーとを具備し、前記ハーネス型安全帯の背中のＤ環に対して前記上スライダーと下スライダーの間に挟まれた開放範囲を通してランヤードを接続可能にすることが開示されている。
【先行技術文献】
【特許文献】
【０００８】
【特許文献１】特開２０１９−９９９６３号公報
【特許文献２】特許第６６２８２３７号公報
【特許文献３】実用新案登録３２２３０５９号公報
【考案の概要】
【考案が解決しようとする課題】
【０００９】
上記の先行技術では  背中側で着衣時にランヤードを開口部に通すことや、背中側でのファスナーの操作が必要となり、墜落防止用器具を装着した後に、その墜落防止用器具の上から、一人で容易に作業衣服の上着を着ることが難しかったり、時間がかかったりするという問題がある。
【００１０】
また、墜落防止用器具を装着すると背中側に厚みがあるショックアブソーバが位置する。その墜落防止用器具の上から作業衣服の上着を着ると、その作業衣服の上着が引っ張られた状態となってしまう。さらに、ランヤードが通される開口位置は衣服に対して固定されているため、ランヤードが何らかの要因で引張されたときに作業衣服の上着が上下にずれた状態となることがある。作業衣服の上着が引っ張られた状態や作業衣服の上着が上下にずれた状態では、使用者の肩や腕の動かしやすさが低下し作業の安全性にも悪影響を及ぼすという問題がある。
【００１１】
雨天で墜落防止用器具を使用した場合、ショックアブソーバが露出していると、ショックアブソーバが水濡れしてしまうという問題がある。例えば、寒冷地での作業中に、ショックアブソーバが水濡れして凍結すると、ショックアブソーバの衝撃吸収機能が損なわれることがある。さらに、ショックアブソーバが水濡れすることは、ショックアブソーバの劣化を早めてしまう可能性もある。
【００１２】
そこで、本考案は、ランヤード付きの墜落制止用器具を装着したまま一人で容易に着脱可能であること、使用者の肩や腕の動かしやすさを維持し作業中の安全性が向上すること、及び、ショックアブソーバの水濡れを防止できることをすべて同時に実現できる作業衣服を提供することを目的とする。
【課題を解決するための手段】
【００１３】
本考案の請求項１の作業衣服は、ランヤード付きの墜落制止用器具を装着したまま、着脱可能な作業衣服であって、背面の中央部縦方向に沿ってマチを有する上着を備える。
【００１４】
請求項１の作業衣服によれば、例えば、背中側で、着衣時にランヤードを開口部に通すことや、背中側でのファスナーの操作等が必要ない。よって、墜落防止用器具を装着した後に、その墜落防止用器具の上から、一人で容易に作業衣服の上着を短時間で着ることができる。
【００１５】
また、請求項１の作業衣服によれば、墜落防止用器具を装着すると背中側に厚みがあるショックアブソーバが上着のマチの部分に収容された状態となる。そのため、上着が引っ張られた状態や上着が上下にずれた状態になりにくく、使用者の肩や腕の動かしやすさを維持できる。
【００１６】
そして、請求項１の作業衣服によれば、安全帯に固定したランヤードが何らかの要因で上下左右に引張された時も、マチの部分で前後に伸縮、左右に揺動して吸収するため、作業衣服の上着の後見頃の背中や前見頃の前面へ直接且つ強く伝播されず、作業の安全を確保して作業を遂行できる。
【００１７】
さらに、墜落制止用器具に連繋されたランヤードは、ショックアブソーバを収容して膨らんだマチ内を垂下して作業衣服から外側へ自然と出現する
【００１８】
加えて、請求項１の作業衣服によれば、ショックアブソーバが上着のマチの部分に収容された状態となるので、ショックアブソーバの水濡れを防止できる。
【００１９】
請求項２の作業衣服の考案は、請求項１に記載の考案において、マチは襟元から裾に向かって裾広がりに設けられている。
【００２０】
墜落防止用器具を装着した後に、その墜落防止用器具の上から、一人で容易に作業衣服の上着を着ると、マチの裾側からランヤードが作業衣服外に延出することとなる。請求項２の作業衣服によれば、請求項１の作業衣服と同様の作用に加えて、マチは襟元から裾に向かって裾広がり設けられていることによって、ランヤードが引っ張られる方向が様々に変化しても、作業衣服の上着が引っ張られた状態や作業衣服の上着が上下にずれた状態となることを抑制できる。落下した場合にランヤードによって作業衣服が強く引っ張られて、作業衣服の上着が使用者の体に押し付けられることを抑制することができる。
【００２１】
請求項３の作業衣服の考案は、請求項１又は２に記載の考案において、上着の裾は、墜落制止用器具の上から着た場合に、墜落制止用器具のショックアブソーバの下端より下となっている。
【００２２】
請求項３の作業衣服によれば、請求項１又は２の作業衣服と同様の作用に加えて、確実に上着が墜落制止用器具のショックアブソーバを覆うことができるので、ショックアブソーバの水濡れを防止することができる。
【００２３】
請求項４の作業衣服の考案は、請求項１から３のいずれかに記載の考案において、上着は、作業衣服のサロペットと共に用いられ、サロペットの股上が深く、上着の着丈が短く構成されている。
【００２４】
請求項４の作業衣服によれば、請求項１から３のいずれかの作業衣服と同様の作用に加えて、上着の着丈が短く構成されていても、使用者の体を覆うことができ、さらに、上着の着丈が短いことで、落下した場合にランヤードのロープによって作業衣服が強く引っ張られて、作業衣服が使用者の腹部に押し付けられることを抑制することができる。
【００２５】
請求項５の作業衣服の考案は、請求項４に記載の考案において、サロペットは、股上、胸当て、サスペンダーが、サロペットより先に装着した墜落制止用器具の胸側にある休止フックハンガーと重ならないように構成されている。
【００２６】
請求項５の作業衣服によれば、請求項４の作業衣服と同様の作用に加えて、墜落防止用器具を装着した後に、サロペット、上着の順に着用しても、上着の内側で、墜落制止用器具の胸側にある休止フックハンガーにランヤードの先端のフックを引っ掛けることができる。これにより、休止時のランヤードの先端のフックが水濡れすることを抑制することができる。
【考案の効果】
【００２７】
本考案は、ランヤード付きの墜落制止用器具を装着したまま一人で容易に着脱可能であること、使用者の肩や腕の動かしやすさを維持し作業中の安全性が向上すること、及び、ショックアブソーバの水濡れを防止できることをすべて同時に実現できる効果を有する。
【図面の簡単な説明】
【００２８】
【図１】ランヤード付きの墜落制止用器具を装着した後に、サロペットを穿いた状態を示す背中側からの斜視図である。
【図２】ランヤード付きの墜落制止用器具を装着した後に、サロペットを穿いた状態を示すお腹側からの斜視図である。
【図３】図２の状態から作業衣服の上着を着た状態を示す背中側からの斜視図である。
【図４】図３の状態からランヤードを後方に伸ばした状態を示す斜視図である。
【考案を実施するための形態】
【００２９】
本考案の実施の形態を図面に基づいて説明する。
【００３０】
作業衣服１は、上着２とサロペット３のズボンとから構成されている。作業衣服１は例えば、雨天での野外の作業中に着用するカッパである。
【００３１】
図３に示すように、上着２は、背面４の中央部縦方向に沿ってマチ５を有する。
【００３２】
すなわち、背面４を構成する後見頃を、中央縦方向で左右の後見頃４Ａ、４Ｂに２分割し、マチ布５１を介在させマチ５が形成されている。
【００３３】
マチ布５１は、二等辺三角形の形状であり、マチ５は襟元６から裾７に向かって裾広がりに形成される。
【００３４】
図１及び図２のうように墜落制止用器具１０を装着して、サロペット３を穿いた状態から、普通に上着２を着ても、背中のランヤード基端側のショックアブソーバ１１の膨らみは、襟元６からのマチ５で吸収され、着衣動作に支障は感じられない。
【００３５】
また、装着後、ショックアブソーバ１１の膨らみは、マチ５の部分が吸収し膨らんでいるのみであるため、上着２によって作業員の身体に制約が与えられることはなく、肩や腕が動かしにくくなる等の支障が生ずることはない。
【００３６】
上着２の裾７は、墜落制止用器具１０の上から着た場合に、墜落制止用器具１０のショックアブソーバ１１の下端より下となっている。
【００３７】
そして、ショックアブソーバ１１に連繋されたロープ１２は、ショックアブソーバ１１で膨らんだマチ５内を垂下して、上着２の裾７から自然と垂下出現する。
【００３８】
さらに、ロープ１２が引っ張られて左右に振られても、裾広がりのマチ５が吸収し、裾７が横にずれるのを防ぎ、また、後方又は上方に振られてもマチ５が吸収し、裾７が引き上げられるのを最小限に抑えることができる。
【００３９】
サロペット３は、胸当てつきの吊りズボンである。サロペット３の股上が深く、上着２の着丈が短く構成しているので、上着２とサロペット３との切れ目が露出すること防げるようになっている。そのため、ロープ１２が左右前後に振られても、上着２の丈が短い分その影響を少なく抑えられ、マチ５の作用効果を増幅できるものとなる。
【００４０】
図２に示すように、サロペット３は、股上、胸当て、及び、サスペンダーが、サロペット３より先に装着した墜落制止用器具１０の胸側にある休止フックハンガー１３と重ならないように構成されている。
【００４１】
墜落防止用器具１０を装着した後に、サロペット３、上着２の順に着用しても、上着２の内側で、墜落制止用器具１０の胸側にある休止フックハンガー１３にランヤードの先端のフック１４を引っ掛けることができるようになっている。
【００４２】
上記実施形態では、作業衣服１は例えば、雨天での野外の作業中に着用するカッパである場合について説明したが、これに限定されることはない。作業衣服１は、墜落制止用器具の上から着用するのであれば、どのような服でもよい。
【００４３】
上記実施形態では、マチ５は襟元６から裾７に向かって裾広がりに形成されている場合について説明したが、これに限定されることはない。マチは、墜落制止用器具１０を装着した後に、上着２を着ても、背中のランヤード基端側のショックアブソーバ１１の膨らみを吸収できるように形成されていればよい。
【００４４】
上記実施形態では、マチ布５１は、二等辺三角形の形状である場合について説明したが、これに限定されることはない。マチ布５１は、例えば、二等辺三角形の頂部を切断した台形状などの別の形状であってもよい。
【００４５】
上記実施形態では、背面４を構成する後見頃を、中央縦方向で左右の後見頃４Ａ、４Ｂに２分割されたままとなっている場合について説明したが、これに限定されることはない。分割した左右の後見頃４Ａ、４Ｂの分割端部にファスナー等の連結具を設け、墜落制止用器具１０を装着しない場合に、閉めておけば普通形態のカッパの上着としての使用もできる。
【００４６】
以上説明した本考案の技術的範囲は、上記の実施の形態例に限定されるものではなく、本明細書及び図面に記載した事項から明らかになる本考案が真に意図する技術的思想の範囲全体に、広く及ぶものである。
【符号の説明】
【００４７】
１          作業衣服
２          上着
３          サロペット
４          背面
４Ａ、４Ｂ  後見頃
５          マチ
６          襟元
７          裾
１０        墜落制止用器具
１１        ショックアブソーバ
１２        ロープ
１３        休止フックハンガー
１４        フック
５１        マチ布
【図１】
0003235283.tif 000003
【図２】
0003235283.tif 000004
【図３】
0003235283.tif 000005
【図４】
0003235283.tif 000006